(57)【特許請求の範囲】
【請求項１】
アーチ状の外刃２５と、これの内面に摺接するシリンダ状の回転内刃２３と、内刃駆動用のモータ７、およびモータ出力を回転内刃２３に伝達する伝動機構８とを備えた切断ヘッド２を構成し、
この切断ヘッド２が、モータ７を保持するヘッドケース４と、ヘッドケース４の左右の支持壁４ａ・４ｂ間に支持される剃り刃ユニット３とからなり、
切断ヘッド２のヘッドケース４が、本体ケース１に対して弾性手段を介して上下に浮動自在に支持されており、
剃り刃ユニット３は、ユニットケース２１と、該ユニットケース２１に係止爪２２ａを介して連結される内刃ホルダー２２と、左右の内刃ホルダー２２間に回転自在に軸支された回転内刃２３と、ユニットケース２１に着脱自在に係止連結される外刃ホルダー２４と、外刃ホルダー２４に係止保持されて前記回転内刃２３を密着状に覆うアーチ状の外刃２５とを含み、
ヘッドケース４には、モータ７の出力を回転内刃２３に伝達する伝動機構８を備えており、
係止爪２２ａによるユニットケース２１と内刃ホルダー２２との係止を解除することにより、内刃ホルダー２２が、回転内刃２３ごとユニットケース２１から取り外せるようにしたことを特徴とするロータリ式電気かみそり。  
【発明の詳細な説明】
【０００１】
【産業上の利用分野】
本発明は、シリンダ状の回転内刃を備えたロータリ式電気かみそりに関する。
【０００２】
【従来の技術】
この種のロータリ式電気かみそりは、たとえば特開平６−３０４３４６号公報に開示みられるように、本体ケースに外刃ホルダーを介して外刃をアーチ状に装着固定し、外刃の内面に摺接するシリンダ状の回転内刃、モータ、およびモータ出力を回転内刃に伝達する伝動機構を装備した駆動ユニットを本体ケースに対して弾性手段を介して支持し、回転内刃を駆動ユニットごと外刃内面に弾性的に押圧密着するように構成されている。
【０００３】
【発明が解決しようとする課題】
しかし、外刃を本体ケースに対し装着固定する上記ロータリ式電気かみそりでは、外刃と回転内刃との間での摺接振動や内刃駆動振動が外刃を介して本体ケースに伝達され、本体ケースを把持した手に伝わるために、使用時に不快感を与えやすかった。
本体ケースに固定された外刃に対して回転内刃のみが外方からの押圧力を受けて弾性的に変位可能となっているために、回転内刃の浮沈によって外刃と回転内刃との密着度合いが局部的に変化し、切れ味が低下することがあった。
【０００４】
本発明の目的は、このような従来の不具合を解消し、外刃と回転内刃間での摺接振動や内刃駆動振動の本体ケースへの伝播の減少、および内外刃どうしの密着性の安定化を図ることのできるロータリ式電気かみそりを提供するにある。
【０００５】
【課題を解決するための手段】
本発明は、アーチ状の外刃２５と、これの内面に摺接するシリンダ状の回転内刃２３と、内刃駆動用のモータ７、およびモータ出力を回転内刃２３に伝達する伝動機構８とを備えた切断ヘッド２を構成し、この切断ヘッド２これ全体が本体ケース１に対して弾性手段を介して上下に浮動自在に支持されていることを特徴とする。
更にその切断ヘッド２は、モータ７を保持し、相対向する一対の左右支持壁４ａ・４ｂを有するヘッドケース４と、前記左右支持壁４ａ・４ｂ間に支持される剃り刃ユニット３とからなる。剃り刃ユニット３はユニットケース２１と、該ユニットケース２１に固定され、シリンダ状の回転内刃２３を横軸まわりに回転自在に保持した内刃ホルダー２２と、同じくユニットケース２１に固定され、前記回転内刃２３を密着状に覆うアーチ状の外刃２５を保持した外刃ホルダー２４とからなり、ヘッドケース４にはモータ７の出力を回転内刃２３に伝達する伝動機構８を備えている。
【０００６】
【作用】
外刃２５と回転内刃２３との摺接振動、モータ７の駆動振動および伝動機構８の駆動振動などの振動は弾性手段で吸収され、これら振動が本体ケース１に伝わるのが抑制される。切断ヘッド２が肌からの押圧等により弾性的に変位しても外刃２５と回転内刃２３との位置関係は変わらず、外刃２５と回転内刃２３の密着度合いは常に一定となり、常に安定した切れ味を発揮する。
【０００７】
【実施例】
図２および図３に示すように、この電気かみそりは、前後二つ割り構造の本体ケース１の上部に切断ヘッド２を備えており、この切断ヘッド２に剃り刃ユニット３を一体的に組み付けてある。
図１および図２において、切断ヘッド２は、本体ケース１の上部に前後から抱き込み支持されて上方に突出しており、一定範囲で上下動可能に支持されたヘッドケース４、ヘッドケース４の左右外側に装着されたカバー５ａ・５ｂ、ヘッドケース４の下部にブラケット６を介して取り付けられたモータ７、モータ出力を剃り刃ユニット３に伝達するように一方のカバー５ａ内に配備された多段ギヤ式の伝動機構８などからなる。
【０００８】
この切断ヘッド２は、ヘッドケース４の下部から左右に延出した薄肉アーム９の各先端ピン９ａが本体ケース１に差し込み固定されるとともに、ヘッドケース４の下部と本体ケース１のバネ受け１０との間に圧縮コイルバネ１１が組付けられ、もって切断ヘッド２全体が薄肉アーム９と圧縮コイルバネ１１とからなる弾性手段を介して本体ケース１に対して上下に浮動自在に弾性支持されている。ヘッドケース４の左右支持壁４ａ・４ｂの上部間にはステー１２が架設されて左右支持壁４ａ・４ｂが補強されている。
【０００９】
図１において、前記モータ７の上端に突出された出力軸７ａの回転出力は、ヘッドケース４の左右支持壁４ａ・４ｂにわたって水平に架設された回転軸１３にギヤ１４・１５を介して伝達された後、回転軸１３の一端から前記伝動機構８に伝達される。この伝動機構８は、回転軸１３の一端に固着された第１伝動ギヤ１６、これに噛み合う第２伝動ギヤ１７、第２伝動ギヤ１７に一体連設された第３伝動ギヤ１８、この第３伝動ギヤ１８に噛み合う第４伝動ギヤ１９、および第４伝動ギヤ１９に噛み合う最終伝動ギヤ２０とから構成されている。
【００１０】
図６において剃り刃ユニット３は、ユニットケース２１と、該ユニットケース２１の左右に係止爪２２ａを介して連結された内刃ホルダー２２と、左右の内刃ホルダー２２間に互いに平行に軸支された一対のシリンダ状の回転内刃２３と、外刃ホルダー２４を介してアーチ状に張設した網目状の外刃２５などから構成されている。一方の係止爪２２ａは、図１中に示すカバー５ｂに備えた係止解除ボタン３０を押し込み操作することで後退変形されるようになっており、これでユニットケース２１との係止を解除して内刃ホルダー２２を回転内刃２３ごと取り外すことができる。
【００１１】
各回転内刃２３における支軸２６の一端が内刃ホルダー２２を貫通して一方のカバー５ａ内に突出され、その突出端に固着された入力ギヤ２７が、前記伝動機構８の最終伝動ギヤ２０に噛み合っている。図７に示すように、ユニットケース２１の上面には毛屑受３２が形成されている。この毛屑受３２は凹凸の無い平面状に形成してあり、外刃ホルダー２４および内刃ホルダー２２を外すことにより露出し、伝動機構８等はこの毛屑受３２の外側方の支持壁４ａ内に納めてあるので、毛屑掃除が容易に行える。
【００１２】
図４において、各回転内刃２３に対し密着状に覆う２枚のアーチ状の外刃２５は、それぞれ外刃ホルダー２４に外刃張り機能を備えたプラスチック製のエンドピース２８・２９を介して係止保持される。この際、図４および図８に示すように、各外刃２５の内刃回転方向Ａの上手側の一端部は、エンドピース２８・２９からそれぞれ突設した固定ピン３３にかしめ溶着することで固定する。外刃２５の内刃回転方向Ａの下手側の他端部は、エンドピース２８・２９に設けた弾性腕３４から突出する可動ピン３５にかしめ溶着することで引っ張り状態に取り付ける。
【００１３】
弾性腕３４はエンドピース２８・２９にそれぞれ抜き孔３６を設けて薄肉に一体形成することにより上下方向に弾性変位自在としてある。このように各外刃２５の内刃回転方向上手側の一端部を固定し、内刃回転方向下手側の他端部を引っ張っておくと、各外刃２５が回転内刃２３との摺接抵抗を受けて内刃回転方向Ａの下手側に向けて引っ張られ、その回転方向Ａの下手側において外刃２５の弛みが発生しがちとなるのをよく抑えて、常に外刃２５の回転内刃２３との密着性を高めることができ、切れ味を向上できる。
【００１４】
図９に示すように、後ろ側の外刃２５の、内刃回転方向Ａの上手側に対応する後端側には、回転内刃軸心と直交する方向に長い形状の長毛導入用長孔３７が左右方向に列設されている。外刃ホルダー２４の後端側には長毛を前記長孔３７に導入し易くするためのコーム３８を固着している。
【００１５】
図４に示すように外刃ホルダー２４自体は、剃り刃ユニット３におけるユニットケース２１の前後端部に弾性係止爪３１を介して着脱自在に係止連結されている。前記エンドピース２８を外刃ホルダー２４に係止する爪部２８ａは外刃ホルダー２４の下端から突出され、この爪部２８ａを外部から指先で押し込み操作することで弾性係止爪３１を後退させて、外刃ホルダー２４は外刃２５ごとユニットケース２１から取り外せる。
【００１６】
上記構成のロータリ式電気かみそりでは、モータ７およびギヤ伝動機構８を備えた切断ヘッド２に対して剃り刃ユニット３のみが、図５に示す伝動機構８における最終伝動ギヤ２０の軸心Ｐを中心に首振り揺動することで、顔の凹凸や顎下などの剃りにくい部分にも剃り刃ユニット３が容易に追従する。
【００１７】
上記実施例ではダブル内刃型を例示したが、３本の回転内刃２３を平行に配列装備したトリプル内刃型、あるいは１本の回転内刃２３を装備したシングル内刃型にも適用できる。前記モータ７はヘッドケース４の下部に縦姿勢に取り付けるに代えて、図１０に示すごとく横姿勢に取り付けてもよい。
【００１８】
【発明の効果】
本発明によれば、切断ヘッド２は回転内刃２３、モータ７および伝動機構８のほかに外刃２５をも一体的に備えて構成し、この切断ヘッド２を外刃２５ごと本体ケース１に対し弾性手段を介して上下浮動自在に支持してあるので、外刃２５と回転内刃２３との摺接振動、伝動機構８の駆動振動など切断ヘッド２で発生する全ての振動が本体ケース１に伝達されるのが弾性手段で吸収され、本体ケース１を持つ手に伝わるのが低減されて使用中の感触を向上させることができる。
しかも、外刃２５と回転内刃２３との位置関係が一定不変であるため、両者の密着度が常に安定し、良好な剃り味を維持することができる。
【図面の簡単な説明】
【図１】本発明に係るロータリ式電気かみそりの切断ヘッド部の縦断正面図である。
【図２】全体斜視図である。
【図３】全体側面図である。
【図４】切断ヘッド部の縦断側面図である。
【図５】内刃駆動用の伝動機構を示す側面図である。
【図６】剃り刃ユニットの縦断正面図である。
【図７】切断ヘッド部の分解斜視図である。
【図８】外刃のエンドピースの斜視図である。
【図９】外刃ホルダーの斜視図である。
【図１０】他の実施例を示す切断ヘッド部の縦断正面図である。
【符号の説明】
１  本体ケース
２  切断ヘッド
３  剃り刃ユニット
４  ヘッドケース
４ａ・４ｂ  左右支持壁
７  モータ
８  伝動機構
２１  ユニットケース
２３  回転内刃
２４  外刃ホルダー
２５  外刃
【図１】
0003582608.tif 000002
【図２】
0003582608.tif 000003
【図３】
0003582608.tif 000004
【図４】
0003582608.tif 000005
【図５】
0003582608.tif 000006
【図６】
0003582608.tif 000007
【図７】
0003582608.tif 000008
【図８】
0003582608.tif 000009
【図９】
0003582608.tif 000010
【図１０】
0003582608.tif 000011